(57)【要約】【課題】  従来のＬ型の擁壁ブロックのようなフーチングが不要になり立設できる場所が増えると共に、擁壁ブロック用支柱が角形管材であることから倒壊に至らない十分な強度を得ることができる。【解決手段】  肉厚板状の板状部と、板状部の横略中央に上下に伸びて突出する凸出部とを備え、凸出部に上下に貫通する角穴状の支持穴が穿設されており、角形管材である擁壁ブロック用支柱が支持穴に貫通した状態で擁壁ブロック用支柱に保持され、基礎地盤上に立設されることを特徴とする。【選択図】図１
2013040538.tif 000002
【特許請求の範囲】
【請求項１】
基礎地盤に起立して設けられた擁壁ブロック用支柱に保持される擁壁ブロックにおいて、
肉厚板状の板状部と、該板状部の横略中央に上下に伸びて突出する凸出部とを備え、
該凸出部に上下に貫通する角穴状の支持穴が穿設されており、
角形管材である該擁壁ブロック用支柱が該支持穴に貫通した状態で該擁壁ブロック用支柱に保持され、該基礎地盤上に立設されることを特徴とする擁壁ブロック。
【請求項２】
基礎地盤に立設される擁壁ブロックを保持する擁壁ブロック用支柱において、
擁壁ブロックの板状部の横略中央に上下に伸びて突出する凸出部の上下に貫通する角穴状の支持穴に挿管可能な角形管材であることを特徴とする擁壁ブロック用支柱。
【請求項３】
一般構造用角形鋼管であることを特徴とする請求項２記載の擁壁ブロック用支柱。
【請求項４】
基礎地盤に立設される擁壁ブロックの固定方法において、
角形管材である擁壁ブロック用支柱を、所定間隔で基礎地盤に固定起立させ、
該擁壁ブロック用支柱が、擁壁ブロックの板状部の横略中央に上下に伸びて突出する凸出部の上下に貫通する角穴状の支持穴に貫設されるように、該擁壁ブロックを立設することを特徴とする擁壁ブロックの固定方法。
【発明の詳細な説明】
【技術分野】
【０００１】
本発明は、基礎地盤に起立して設けられる擁壁ブロック、擁壁ブロック用支柱及び擁壁ブロックの固定方法に関する。
【背景技術】
【０００２】
従来より、擁壁ブロックとしては、断面逆Ｌ字形に形成されたＬ型擁壁が使用されている（例えば、特許文献１）。従来のＬ型擁壁は、横臥部分であるフーチング部（横壁）の片端から起立壁体部が立ち上がる断面Ｌ字上の擁壁ブロックである。
【先行技術文献】
【特許文献】
【０００３】
【特許文献１】特開平１０−３１１０５２号公報
【発明の概要】
【発明が解決しようとする課題】
【０００４】
しかしながら、従来のＬ型の擁壁ブロックでは、地盤（道路等）が軟弱であると、支持力が不足し、土圧により谷側に傾斜するなど擁壁が不安定になることがある。また、地盤中に水道管等の埋設物がある場合にはＬ型擁壁のフーチング部が干渉するため、施工ができなくなる不都合が生じていた。
【０００５】
本発明は、このような事情に鑑みてなされたもので、従来のＬ型の擁壁ブロックのようなフーチングが不要になり立設できる場所が増えると共に、擁壁ブロック用支柱が角形管材であることから倒壊に至らない十分な強度を有する擁壁のための擁壁ブロック及び擁壁ブロック用支柱を提供することにある。
【課題を解決するための手段】
【０００６】
請求項１記載の擁壁ブロックは、肉厚板状の板状部と、板状部の横略中央に上下に伸びて突出する凸出部とを備え、凸出部に上下に貫通する角穴状の支持穴が穿設されており、角形管材である擁壁ブロック用支柱が支持穴に貫通した状態で擁壁ブロック用支柱に保持され、基礎地盤上に立設されることを特徴とする。
【０００７】
請求項２記載の擁壁ブロック用支柱は、擁壁ブロックの板状部の横略中央に上下に伸びて突出する凸出部の上下に貫通する角穴状の支持穴に挿管可能な角形管材であることを特徴とする。
【０００８】
請求項３記載の擁壁ブロック用支柱は、一般構造用角形鋼管であることを特徴とする。
【０００９】
請求項４記載の擁壁ブロックの固定方法は、角形管材である擁壁ブロック用支柱を、所定間隔で基礎地盤に固定起立させ、擁壁ブロック用支柱が、擁壁ブロックの板状部の横略中央に上下に伸びて突出する凸出部の上下に貫通する角穴状の支持穴に貫設されるように、擁壁ブロックを立設することを特徴とする。
【発明の効果】
【００１０】
本願発明によれば、肉厚板状の板状部と、板状部の横略中央に上下に伸びて突出する凸出部とを備え、凸出部に上下に貫通する角穴状の支持穴が穿設されており、角形管材である擁壁ブロック用支柱が支持穴に貫通した状態で擁壁ブロック用支柱に保持され、基礎地盤上に立設されることから、従来のＬ型の擁壁ブロックのようなフーチングが不要になり立設できる場所が増えると共に、擁壁ブロック用支柱が角形管材であることから倒壊に至らない十分な強度を得ることができる。
【図面の簡単な説明】
【００１１】
【図１】本発明に係る擁壁の施工の一例を示す説明図である。
【図２】同擁壁の施工状態の一部を断面で示す説明図である。
【図３】同擁壁の施工行程を断面で示す説明図である。
【図４】図３の擁壁の施工行程を斜視で示す説明図である。
【図５】同擁壁の施工行程の一部を断面で示す説明図である。
【発明を実施するための形態】
【００１２】
以下、本発明の形態について図面を参照しながら具体的に説明する。図１は、本発明に係る擁壁の施工の一例を示す説明図である。図２は、同擁壁の施工状態の一部を断面で示す説明図である。図３は、同擁壁の施工行程を断面で示す説明図である。図４は、図３の擁壁の施工行程を斜視で示す説明図である。図５は、同擁壁の施工行程の一部を断面で示す説明図である。図における擁壁１は、崖や盛り土の側面が崩れ落ちるのを防ぐために築く壁で、擁壁ブロック用支柱１０や擁壁ブロック２０等で構成されている。
【００１３】
擁壁ブロック用支柱１０は、角形管材で、鋼管材である。擁壁ブロック用支柱１０は、例えば、一般構造用角形鋼管（ＳＴＫＲ管：ＪＩＳ  Ｇ３４６６）である。尚、擁壁ブロック用支柱１０の太さ、長さは施工現場の状況により適宜定められる。尚、擁壁ブロック用支柱１０の腐食を防止するために、亜鉛めっき等のめっきが施されたものを使用することも可能である。
【００１４】
擁壁ブロック２０は、コンクリートからなる擁壁材で、肉厚板状の板状部２２と、板状部２２の横略中央に上下に伸びて突出する凸出部２４とが形成されている。そして、凸出部２４に上下に貫通する角穴状の支持穴２４ａが設けられている。
【００１５】
次に、擁壁１の施工方法を説明する。まず、図１や図４の斜視図で示されるように、擁壁１を敷設したい地面２に凹溝４を直線状に延設して掘削する。そして、その凹溝４に砂利や砂が敷設され、基礎８となる砂地の上面が水平になるように整地される。次に、擁壁ブロック２０を横に並べるのと同じ間隔で、基礎８から下の地面２に向かって、擁壁ブロック用支柱１０の管径よりも太い穴である基礎穴６を掘削する。
【００１６】
次に、掘削した基礎穴６に、セメント系の固化剤３２を投入する。そして、固化剤３２が固化してしまう前に、凹溝４の基礎８の上に、擁壁ブロック２０の下面と同型状の板材である基礎部材３０を敷設する。基礎部材３０の敷設にあたっては、基礎穴６と基礎部材３０に穿設された擁壁ブロック用支柱１０の端面と同一形状の保持穴３０ａとの位置を合わせるようにする。そして、基礎部材３０を、図示しないアンカーで基礎８に固定する。
【００１７】
次に、図３及び図４に示すように、基礎部材３０の上から、保持穴３０ａを貫通させて、基礎穴６に擁壁ブロック用支柱１０を挿入していく。挿入された擁壁ブロック用支柱１０は、固化剤３２にめり込むように刺さって行き、擁壁ブロック用支柱１０の内側にも固化剤３２が詰まることになる（図２を参照）。そして、基礎８の上に積み上げる擁壁ブロック２０の高さに応じた長さが基礎８の上に突出する位置まで、擁壁ブロック用支柱１０を基礎穴６に挿入し、基礎部材３０で位置を固定させる。同様に、複数の擁壁ブロック用支柱１０を擁壁ブロック２０の間隔で、林立させていく。
【００１８】
固化剤３２が凝固して擁壁ブロック用支柱１０が、地面２に固定された状態で、図１及び図５に示すように、基礎８（基礎部材３０）の上に、擁壁ブロック２０を積み上げていく。具体的には、擁壁ブロック２０の支持穴２４ａに、基礎８から起立する擁壁ブロック用支柱１０が貫設されるように、擁壁ブロック２０を立設していく。これは、既に基礎８に置かれた擁壁ブロック２０の上に、擁壁ブロック２０を積み上げる場合も同様である。図１及び図５に示すように、林立するすべての擁壁ブロック用支柱１０に対して、同様に擁壁ブロック２０を立設して、擁壁ブロック２０を延設させていくことにより、擁壁１が完成する。尚、擁壁ブロック２０の支持穴２４ａと擁壁ブロック用支柱１０との間の隙間にセメント系の固化剤３４を注入して、擁壁ブロック２０を擁壁ブロック用支柱１０に強固に固定するようにしてもよい。
【００１９】
以上のような擁壁ブロック用支柱１０及び擁壁ブロック２０によれば、肉厚板状の板状部２２と、板状部２２の横略中央に上下に伸びて突出する凸出部２４とを備え、凸出部２４に上下に貫通する角穴状の支持穴２４ａが穿設されており、擁壁ブロック２０が、角形管材である擁壁ブロック２０が支持穴２４ａに貫通した状態で擁壁ブロック用支柱に保持され、基礎地盤である地面２上に立設されることから、従来のＬ型の擁壁ブロックのようなフーチングが不要になり立設できる場所が増えると共に、擁壁ブロック用支柱１０が角形管材であることから倒壊に至らない十分な強度を得ることができる。
【産業上の利用可能性】
【００２０】
以上のように、本発明によれば、従来のＬ型の擁壁ブロックのようなフーチングが不要になり立設できる場所が増えると共に、擁壁ブロック用支柱が角形管材であることから倒壊に至らない十分な強度を有する擁壁のための擁壁ブロック及び擁壁ブロック用支柱を提供することができる。
【符号の説明】
【００２１】
１・・・・・擁壁
２・・・・・地面
４・・・・・凹溝
６・・・・・基礎穴
８・・・・・基礎
１０・・・・擁壁ブロック用支柱
２０・・・・擁壁ブロック
２２・・・・板状部
２４・・・・凸出部
２４ａ・・・支持穴
３０・・・・基礎部材
３０ａ・・・保持穴
３２・・・・固化剤
３４・・・・固化剤
【図１】
2013040538.tif 000003
【図２】
2013040538.tif 000004
【図３】
2013040538.tif 000005
【図４】
2013040538.tif 000006
【図５】
2013040538.tif 000007